(57)【要約】      （修正有）【課題】所定深度まで掘削後、掘削土砂圧密形オーガを孔内に差し入れたままの状態で削孔時とは逆の回転をさせながら、孔口からゴミもしくはゴミと土砂を投入し、孔底方向へと確実に、かつ効率よく送り込むことができ、コテ部での孔壁への圧密も確実に行うことができるゴミ処理装置を提供する。【解決手段】オーガロッド３とその先端のオーガヘッド１２とからなり、オーガロッド３は重機のリーダーマスト２０に沿って昇降自在に吊り下がる駆動装置２に結合して正逆回転自在に垂下し、オーガロッド３の外周に該ロッドから外方に張り出す湾曲押圧面を側面としたコテ部５を掘削回転方向に螺旋状に上昇するように設けた掘削土砂圧密形オーガ１８によるゴミ処理装置において、オーガロッド３が貫通するホッパー２１をリーダーマスト２０に昇降自在に設ける。【選択図】図１
0003193872.tif 000002
【実用新案登録請求の範囲】
【請求項１】
オーガロッドとその先端のオーガヘッドとからなり、オーガロッドは重機のリーダーマストに沿って昇降自在に吊り下がる駆動装置に結合して正逆回転自在に垂下し、オーガロッドの外周に該ロッドから外方に張り出す湾曲押圧面を側面としたコテ部を掘削回転方向に螺旋状に上昇するように設けた掘削土砂圧密形オーガによるゴミ処理装置において、オーガロッドが貫通するホッパーをリーダーマストに昇降自在に設けたことを特徴とする掘削土砂圧密形オーガによるゴミ処理装置。
【請求項２】
ホッパーはリーダーマストに昇降自在に設けるオーガロッドの振れ止めと組み合せて設ける請求項1記載の掘削土砂圧密形オーガによるゴミ処理装置。
【請求項３】
オーガロッドは上部はコテ部を設けないでスクリュー羽根だけを連続させて設けた連続スクリューロッドである請求項１または請求項２記載の掘削土砂圧密形オーガによるゴミ処理装置。
【考案の詳細な説明】
【技術分野】
【０００１】
本考案は、掘削土砂圧密形オーガによるゴミ処理装置に関するものである。
【背景技術】
【０００２】
地盤を掘削してもしくは自然の地形を利用して大きな地形を利用して大きな凹地を得てこの凹地内に産業廃棄物を堆積する産業廃棄物処分場は、大量のゴミを安価に処理するのに適するもので、いわば、巨大な空池を形成し、その底には汚染水の漏出防止のためのゴムシート等を敷設し、その中へ産業廃棄物や一般廃棄物、一般家庭より出されたゴミ等を投棄し、堆積させ、ロードローダーで填圧後、土砂を撒きだし、これも填圧して順次積層させていく。
【０００３】
しかし昨今、既設の廃棄物処分場はすでに満杯になりつつあり、新設するには社会的な問題も抱えており、場所の確保も困難である。特にゴミ等は上方から填圧を加えたとしてもゴミとゴミとの隙間を埋めることは不完全であり、フカフカの状態が残り、効率が悪いとともに地盤の沈下等の問題も生じる。
【０００４】
考案者は先にすでに満杯となりつつある廃棄物処分場をさらに有効利用することで、より多くのゴミを処理することができるゴミ処理方法として下記特許文献のものを提案し、特許を取得した。
【特許文献１】特許第３０６００４５号公報
【０００５】
これは図９〜図１２に示すように、掘削土砂圧密形オーガ１８を使用するものであり、掘削土砂圧密形オーガ１８は通常のオーガと同じく、ロッド３とその先端のオーガヘッド１２とからなり、ロッド３はクローラ等の重機１９のリーダーマスト２０のトップシーブからリーダー２０aに沿って昇降自在に吊り下がる駆動装置２に結合して正逆回転自在に垂下するものである。
【０００６】
図９に示すように、ロッド３の外周に外方に張り出す湾曲押圧面４を側面とした厚肉フランジ状のコテ部５を掘削回転方向に螺旋状に上昇するように設ける。このコテ部５はオーガロッド３の外周からの左右両端の突出側面が必ず円弧状であることとした。
【０００７】
螺旋状に上昇するように設けるコテ部５は連続体として順次組み合わせ、上方にオーガロッド３の外周に向かい角度θで傾斜する上部傾斜面９を、また、下方にもロッド３の外周に向かい角度θで傾斜する下部傾斜面１０を設ける。
【０００８】
オーガヘッド１２にもスクリュー羽根１の裏側に垂直方向への湾曲押圧面４を有するコテ部５を設けた。図中１３は掘削ビットである。
【０００９】
図１０に示すようにロッド３を正転させながら地盤に挿入していくと、先端のオーガヘッド１２の掘削ビット１３で切削された土砂（ゴミ）はロッド３の正転（右回転）にともなうコテ部５の旋回による揚上作用によって上方に移送されるが、この移送の際にコテ部５の湾曲押圧面４で外側に押し出され、孔壁１１に圧密される。なお、正転（右回転）の途中で逆転（左回転）を取り入れてもよい。
【００１０】
ロッド３を逆転させる場合にはこのコテ部５が土砂の下降作用を行うことになるが、その場合でも移送の際にコテ部５の湾曲押圧面４で外側に押し出され、かかる正転と逆転を適宜組み合わせることで孔壁１１への圧密を効果的に行い、地上への排土量を減じ、または無くすことができる。
【００１１】
このように掘削した土砂等をコテ部５で外側に押し出し孔壁１１に圧密して、掘削した体積分を殆ど地上に排土せずに孔１５を造成する。
【００１２】
図１１に示すように所定深度まで掘削したならば、この掘削土砂圧密形オーガ１８を孔１５内に差し入れたままの状態で前記削孔時とは逆の回転をさせながら、孔口１５ａからゴミ１６（もしくはゴミ１６と土砂）を投入し、これらを孔底１５ｂへと落下させながらコテ部５で孔壁１１に圧密させる。ゴミ１６に土砂を混合して投入する場合は孔口１５ａを崩しながら行うこともある。
【００１３】
前記孔口１５ａから投入したゴミ１６（もしくはゴミ１６と土砂）で孔壁１１に圧密されない残りのものは孔底１５ｂに順次堆積するが、これに対してはオーガヘッド１２で填圧する。
【００１４】
徐々にゴミ１６（もしくはゴミ１６と土砂）を填圧かつ充填しながら掘削土砂圧密形オーガ１８を引き抜く。この引き抜く際は前記図１０の状態と同じく逆転（左回転）を主とし、正転（右回転）を交えながら行う。
【考案の概要】
【考案が解決しようとする課題】
【００１５】
前記方法の中で、所定深度まで掘削したならば、この掘削土砂圧密形オーガ１８を孔１５内に差し入れたままの状態で前記削孔時とは逆の回転をさせながら、孔口１５ａからゴミ１６（もしくはゴミ１６と土砂）を投入し、これらを孔底１５ｂへと落下させながらコテ部５で孔壁１１に圧密させるが、この孔口１５ａから投入したゴミ１６（もしくはゴミ１６と土砂）を孔底１５ｂへと送り込むのが効率良く行えない場合があった。
【００１６】
その結果、コテ部５で孔壁１１に圧密させるのも不十分なものとなる。
【００１７】
本考案の目的は前記従来例の不都合を解消し、所定深度まで掘削後、掘削土砂圧密形オーガを孔内に差し入れたままの状態で前記削孔時とは逆の回転をさせながら、孔口からゴミもしくはゴミと土砂を投入し、孔底方向へと確実に、かつ効率よく送り込むことができ、コテ部での孔壁への圧密も確実に行うことができる掘削土砂圧密形オーガによるゴミ処理装置を提供することにある。
【課題を解決するための手段】
【００１８】
前記目的を達成するため本考案は、第１に、オーガロッドとその先端のオーガヘッドとからなり、オーガロッドは重機のリーダーマストに沿って昇降自在に吊り下がる駆動装置に結合して正逆回転自在に垂下し、オーガロッドの外周に該ロッドから外方に張り出す湾曲押圧面を側面としたコテ部を掘削回転方向に螺旋状に上昇するように設けた掘削土砂圧密形オーガによるゴミ処理装置において、オーガロッドが貫通するホッパーをリーダーマストに昇降自在に設けたこと、第２に、ホッパーはリーダーマストに昇降自在に設けるオーガロッドの振れ止めと組み合せて設けること、第３に、オーガロッドは上部はコテ部を設けないでスクリュー羽根だけを連続させて設けた連続スクリューロッドであることを要旨とするものである。
【００１９】
請求項１記載の本考案によれば、ホッパーはリーダーマストで下降させ、オーガロッドが形成する孔の口にセットする。このようにホッパーを設けることでゴミ（もしくはゴミと土砂）をホッパーに投入して確実にオーガロッドに導き、コテ部で孔壁に圧密させることができる。また、重機移動時にはリーダーマストに上昇させ、移動に支障ないようにすることができる。
【００２０】
請求項２記載の本考案によれば、ホッパーはオーガロッドの振れ止めと組み合せることで、オーガロッドの振れの影響を受けることなく、安定して設置できる。
【００２１】
請求項３記載の本考案によれば、オーガロッドは上部はコテ部を設けないでスクリュー羽根だけを連続させて設けた連続スクリューロッドであり、掘削後、この連続スクリューロッドを必要長孔内に差し入れながら逆転させ、同時に孔口からゴミ（もしくはゴミと土砂）を投入すると、投入されたゴミ（もしくはゴミと土砂）は逆転する連続スクリューロッドのスクリュー羽根で確実に下方へ送られ、コテ部で孔壁に圧密させることができる。
【考案の効果】
【００２２】
以上述べたように本考案の掘削土砂圧密形オーガによるゴミ処理装置は、所定深度まで掘削後、掘削土砂圧密形オーガを孔内に差し入れたままの状態で前記削孔時とは逆の回転をさせながら、孔口からゴミもしくはゴミと土砂を投入し、孔底方向へと確実に、かつ効率よく送り込むことができ、コテ部での孔壁への圧密も確実に行うことができるものである。
【考案を実施するための形態】
【００２３】
以下、図面について本考案の実施の形態を詳細に説明する。図１は本考案の掘削土砂圧密形オーガによるゴミ処理装置の１実施例を示す使用状態の正面図、図２は同上他の使用状態の正面図である。
【００２４】
本考案のゴミ処理装置は、掘削土砂圧密形オーガ１８を使用する。先に、掘削土砂圧密形オーガ１８を図８について説明すると、図中３は掘削土砂圧密形オーガ１８のロッドであるが、このロッド３は駆動装置２により正および逆転可能なものである。
【００２５】
ロッド３は通常のアースオーガ等と同じくピース物として継ぎ足し可能であり、オーガヘッド１２を下端に接続する第１ロッド３ａ、その上に接続する第２ロッド３ｂ、さらにその上に接続する第３ロッド３ｃの組合せである。なお、ピースの数はこれに限定されるものではない。
【００２６】
前記第３ロッド３ｃはスクリュー羽根１だけを連続させて設けた連続スクリューロッドであり、オーガヘッド１２を下端に接続する第１ロッド３ａ、その上に接続する第２ロッド３ｂはロッドの外周に外方に張り出す湾曲押圧面４を側面とした厚肉フランジ状のコテ部５を螺旋状に上昇するように設けたものである。このようにしてオーガロッド３は上部にはコテ部を設けないでスクリュー羽根１だけを連続させて設けた連続スクリューロッドであり第３ロッド３ｃはスクリュー羽根１だけを連続させて設けた連続スクリューロッドである第３ロッド３ｃが位置する。
【００２７】
前記コテ部５はロッド３に設けるスクリュー羽根１と並ぶように組合わせ、側面の湾曲押圧面４はロッド３の周面からスクリュー羽根１の外縁位置まで外方に張り出す。
【００２８】
図示の例ではスクリュー羽根１が１ピッチ旋回したところでコテ部５を設けるようにしたが、１．５〜２．０ピッチの旋回をもってこのコテ部５を設けるようにしてもよい。
【００２９】
コテ部５はオーガロッド３の外周からの左右両端の突出側面が必ず円弧形状である。図示の例ではコテ部５は湾曲押圧面４が全体で円弧状になるように形成した。図中１１は孔壁である。なお、このコテ部５は中空のドラムタイプのものでよい。
【００３０】
さらに、コテ部５は外周部先端を分割体５ａとし、これを本体５ｂに対してボルト８やピンや溶接等で交換可能に結合するものとする。
【００３１】
そして、オーガロッド３が貫通するホッパー２１をリーダーマストに昇降自在に設けた。
【００３２】
図３、図４はこのホッパー２１を示すもので、周知のごとくロート状のものであるが、上下にオーガロッド３が貫通し、その外側に大きく開口が張り出すように上端平面を扇形に形成した。
【００３３】
ホッパー２１にはブラケット２３を取付け、このブラケット２３を介してリーダーマスト２０に昇降自在に設けるものとした。
【００３４】
また、他の実施形態として、ホッパー２１はリーダーマスト２０に昇降自在に設けるオーガロッドの振れ止め２２と組み合せて設けるようにしてもよい。
【００３５】
振れ止め２２はリーダーマスト２０にブラケット２３を介して昇降自在に設ける筒体で、オーガロッド３が貫通する。
【００３６】
ホッパー２１は振れ止め２２にボルト等で結合され、振れ止め２２を介してリーダーマスト２０を昇降する。図中２４は昇降用の吊りワイヤーである。
【００３７】
次にかかる掘削土砂圧密形オーガ１８を使用した本考案のゴミ処理方法を説明する。
【００３８】
例えば、通常の地盤に行う他にこれをすでに満杯となりつつある廃棄物処分場で施工する場合では、ロッド３を正転させながら地盤に挿入していくと、先端のオーガヘッド１２の掘削ビット１３で切削されたゴミ１６はロッド３の正転（右回転）にともなうコテ部５の旋回による揚上作用によって上方に移送されるが、この移送の際にコテ部５の湾曲押圧面４で外側に押し出され、孔壁１１に圧密される。なお、正転（右回転）の途中で逆転（左回転）を取り入れてもよい。
【００３９】
このように掘削した土砂等をコテ部５で外側に押し出し孔壁１１に圧密して、掘削した体積分を殆ど地上に排土せずに孔１５を造成する。
【００４０】
所定深度まで掘削したならば、ホッパー２１をセットし、ロッド３をこれに貫通させながら、前記削孔時とは逆の回転をさせながら、ベルトコンベアの投入機１７でゴミ１６（もしくはゴミ１６と土砂）をホッパー２１を介して孔口１５ａからゴミ１６（もしくはゴミ１６と土砂）を投入する。
【００４１】
図２に投入機１７としてバックフォーを使用する例を示す。
【００４２】
ここでのゴミ１６の意味は一般廃棄物もしくは産業廃棄物であり、焼却灰等も対象として含むものである。
【００４３】
この場合、連続スクリューロッドである第３ロッド３ｃをグランドレベル（ＧＬ）より必要長（α：〜数メートル）孔１５内に差し入れながら逆転させる。
【００４４】
ゴミ１６（一般ゴミ、産業廃棄物、焼却灰等）（もしくはゴミ１６と土砂）は、第３ロッド３ｃの連続スクリュー羽根１で確実に下方へ送りこまれ、第２ロッド３ｂ、第１ロッド３ａ、オーガヘッド１２に至り、コテ部５で孔壁１１に填圧される。
【００４５】
この時、ロッド３は上下動するようにしてもよい。また、逆転の途中で適宜正転を交えるようにしてもよい。ゴミ１６に土砂を混合して投入する場合はホッパー２１を撤去して、孔口１５ａを崩しながら行うこともある。
【００４６】
前記ホッパー２１から投入したゴミ１６（もしくはゴミ１６と土砂）で孔壁１１に圧密されない残りのものは孔底１５ｂに順次堆積するが、これに対してはオーガヘッド１２で填圧する。
【００４７】
徐々にゴミ１６（もしくはゴミ１６と土砂）を填圧かつ充填しながら掘削土砂圧密形オーガ１を引き抜く。この引き抜く際は同じく逆転（左回転）を主とし、正転（右回転）を交えながら行う。
【００４８】
さらに、かかる填圧状況は掘削土砂圧密形オーガ１８の負荷及び自重推力で確認しながら行うことができる。
【００４９】
このように、ロッド３を逆転させる場合にはこのコテ部５が土砂の下降作用を行うことになるが、その場合でも移送の際にコテ部５の湾曲押圧面４で外側に押し出され、前記正転と逆転を適宜組み合わせることで孔壁１１への圧密を効果的に行い、地上への排土量を減じ、または無くすことができ、掘削した土砂等をコテ部５で外側に押し出し孔壁１１に圧密して、掘削した体積分を殆ど地上に排土せずに孔１５を造成する。
【００５０】
ホッパー２１を振れ止め２２と組み合せて設ける場合には、この振れ止め２２でロッド３をホッパー２１に適正に貫通させておくことができる。
【００５１】
作業完了後の重機１９の移動時にはホッパー２１もしくはホッパー２１と振れ止め２２をリーダーマスト２０に上昇させ、移動に支障ないようにすることができる。
【図面の簡単な説明】
【００５２】
【図１】本考案の掘削土砂圧密形オーガによるゴミ処理装置の１実施例を示す使用状態の正面図である。
【図２】本考案の掘削土砂圧密形オーガによるゴミ処理装置の１実施例を示す他の使用状態の部分正面図である。
【図３】ホッパーの平面図である。
【図４】ホッパーの一部切欠いた側面図である。
【図５】振れ止めと組み合わせたホッパーの平面図である。
【図６】振れ止めと組み合わせたホッパーの一部切欠いた側面図である。
【図７】振れ止めと組み合わせたホッパーの正面図である。
【図８】本考案のゴミ処理装置の全体を示す正面図である。
【図９】従来のゴミ処理方法の第１工程を示す正面図である。
【図１０】従来のゴミ処理方法の第２工程を示す正面図である。
【図１１】従来のゴミ処理方法の第３工程を示す正面図である。
【図１２】従来のゴミ処理方法の第４工程を示す正面図である。
【符号の説明】
【００５３】
１…スクリュー羽根
２…駆動装置
３…ロッド
３ａ…第１ロッド
３ｂ…第２ロッド
３ｃ…第３ロッド
４…湾曲押圧面
５…コテ部
５ａ…分割体
５ｂ…本体
６…平面
７…空隙部
８…ボルト
９…上部傾斜面
１０…下部傾斜面
１１…孔壁
１２…オーガヘッド
１３…掘削ビット
１５…孔
１５ａ…孔口
１５ｂ…孔底
１６…ゴミ
１７…投入機
１８…掘削土砂圧密形オーガ
１９…重機
２０…リーダーマスト
２０a…リーダー
２１…ホッパー
２２…振れ止め
２３…ブラケット
２４…吊りワイヤー
【図１】
0003193872.tif 000003
【図２】
0003193872.tif 000004
【図３】
0003193872.tif 000005
【図４】
0003193872.tif 000006
【図５】
0003193872.tif 000007
【図６】
0003193872.tif 000008
【図７】
0003193872.tif 000009
【図８】
0003193872.tif 000010
【図９】
0003193872.tif 000011
【図１０】
0003193872.tif 000012
【図１１】
0003193872.tif 000013
【図１２】
0003193872.tif 000014